(57)【要約】【課題】３段重ねの筐体を具え、下段の筐体の表面に設けられている入力部及び／又は出力部と、中段の筐体の表面に設けられている入力部及び／又は出力部とを、選択的に露出させる操作が容易なスライド式小型電子機器を提供する。【解決手段】本発明に係るスライド式小型電子機器において、下段に第１筐体(１)、中段に第２筐体(２)、上段に第３筐体(３)が配備されている。そして、該スライド式小型電子機器は、３つの筐体を、第１筐体(１)と第２筐体(２)とが互いに最大の重なり面積で重なりあった閉じ状態で両筐体どうしを係止する第１係止状態と、第２筐体(２)と第３筐体(３)とが互いに最大の重なり面積で重なり合った閉じ状態で両筐体どうしを係止する第２係止状態の２つの係止状態に選択的に設定することが可能な係止機構(５)と、該係止機構(５)を動作させて３つの筐体の係止状態を切り替えるための操作部(６)とを具えている。【選択図】図５
2011071866.tif 000002
【特許請求の範囲】
【請求項１】
３つの筐体を具えて、下段に第１筐体、中段に第２筐体、上段に第３筐体が配備されると共に、これら３つの筐体は互いに同一方向に沿うスライドが可能に係合し、各筐体の表面には、それぞれ情報の入力部及び／又は出力部が設けられているスライド式小型電子機器において、
前記３つの筐体を、第１筐体と第２筐体とが互いに最大の重なり面積で重なりあった閉じ状態で両筐体どうしを係止する第１係止状態と、第２筐体と第３筐体とが互いに最大の重なり面積で重なり合った閉じ状態で両筐体どうしを係止する第２係止状態の２つの係止状態に選択的に設定することが可能な係止機構と、該係止機構を動作させて前記３つの筐体の係止状態を切り替えるための操作部とを具えているスライド式小型電子機器。
【請求項２】
前記係止機構は、
第２筐体と第３筐体とが互いに最大の重なり面積で重なり合った閉じ状態で、第２筐体の表面壁及び第３筐体の裏面壁を貫通して上下方向に往復移動が可能である一方、第２筐体の表面側へ通過することが阻止された第１の押し子と、
前記第１の押し子を上方に付勢する付勢手段と、
第２筐体に収容されて、前記第１の押し子に枢支された基端部を有するアーム部と、
第２筐体の裏面壁の内面に突設されて、前記アーム部を、その基端部と先端部との間の位置にて揺動自在に支持する支持部と、
前記アーム部の先端部に設けられて、前記アーム部の揺動により、前記第２筐体の裏面壁に形成された第１貫通孔を通過して上下方向に往復移動する第１係合部と、
前記第１筐体の表面壁に凹設されて、第１筐体と第２筐体とが互いに最大の重なり面積で重なり合った閉じ状態で前記第１係合部が係脱可能な第１係合受け部と、
第３筐体に収容されて、前記操作部の操作により下方に移動して前記第１の押し子を付勢手段の付勢力に抗して下方に移動させる第２の押し子と、
前記第２の押し子に固定されて、該第２の押し子の往復移動により、前記第３筐体の裏面壁に形成された第２貫通孔を通過して上下方向に往復移動する第２係合部と、
前記第２筐体の表面壁に凹設されて、第２筐体と第３筐体とが互いに最大の重なり面積で重なり合った閉じ状態で前記第２係合部が係脱可能な第２係合受け部
とを具える請求項１に記載のスライド式小型電子機器。
【請求項３】
前記第２の押し子は、第２の付勢手段よりに上方に付勢されている請求項２に記載のスライド式小型電子機器。
【請求項４】
第３筐体の裏面壁には、第３筐体が第２筐体の表面に沿ってスライドする際に前記第１の押し子が通過する通路が形成されている請求項２又は請求項３に記載のスライド式小型電子機器。
【請求項５】
前記操作部は、前記第３筐体の表面に露出すると共に前記第２の押し子の上端面に沿ってスライドすることが可能なスイッチ部を有し、該スイッチ部と第２の押し子との対向面には、スイッチ部のスライドにより第２の押し子を上下方向に移動させるカム機構が形成されている請求項２乃至請求項４の何れかに記載のスライド式小型電子機器。
【発明の詳細な説明】
【技術分野】
【０００１】
本発明は、３つの筐体が３段重ねに配備されたスライド式小型電子機器に関する。
【背景技術】
【０００２】
従来、２つの筐体を上下２段に配備し、下段の筐体の表面に複数の操作キーを設け、上段の筐体の表面にディスプレイを設けたスライド式の携帯電話機が普及している。
この種のスライド式携帯電話機においては、下段の筐体を保持して上段の筐体を一方向に押圧することにより、上段の筐体がスライドして複数の操作キーが露出し、これによって該操作キーの操作が可能となる。
【０００３】
近年、上記スライド式携帯電話機において、下段の筐体の表面に数字入力用の操作キーと文字入力用の操作キーとを設けたものが普及しつつある。しかしながら、この様なスライド式携帯電話機においては、下段の筐体の表面の限られた領域に各種操作キーを配備する必要があるため、各操作キーのサイズが小さくなって、操作性が低下する問題があった。
【０００４】
そこで、３つの筐体を具えて、下段に第１筐体、中段に第２筐体、上段に第３筐体を配備すると共に、これら３つの筐体を互いに同一方向に沿うスライドが可能となる様に係合したスライド式携帯電話機が提案されている（例えば、特許文献１参照）。この種のスライド式携帯電話機においては、第３筐体の表面にディスプレイ（出力部）を配備し、第１筐体の表面と第２筐体の表面とにそれぞれ文字入力用の操作キー（入力部）と数字入力用の操作キー（入力部）とを配備することが出来る。従って、各操作キーのサイズを小さくする必要がない。
【先行技術文献】
【特許文献】
【０００５】
【特許文献１】特開２００７−３００３１０号公報
【発明の概要】
【発明が解決しようとする課題】
【０００６】
ところが、上記スライド式携帯電話機においては、数字入力用の操作キーを露出させるべく第１筐体を保持して第３筐体を一方向に押圧した場合、第２筐体が第１筐体の表面に沿ってスライドして文字入力用の操作キーまでもが露出する虞があった。このため、数字入力用の操作キーのみを露出させたい場合には、第３筐体を押圧する際に第１筐体と共に第２筐体をも保持しなければならない煩わしさがあった。
【０００７】
又、文字入力用の操作キーを露出させるべく第１筐体を保持して第２筐体を一方向に押圧した場合、第３筐体が第２筐体の表面に沿ってスライドして数字入力用の操作キーまでもが露出する虞があった。このため、文字入力用の操作キーのみを露出させたい場合には、第２筐体を押圧する際に、第１筐体を保持するのとは別に第２筐体と第３筐体とを保持しなければならい煩わしさがあった。
【０００８】
そこで本発明の目的は、第１筐体の表面に設けられている入力部及び／又は出力部と、第２筐体の表面に設けられている入力部及び／又は出力部とを、選択的に露出させる操作が容易なスライド式小型電子機器を提供することである。
【課題を解決するための手段】
【０００９】
本発明に係るスライド式小型電子機器は、３つの筐体を具えて、下段に第１筐体、中段に第２筐体、上段に第３筐体が配備されると共に、これら３つの筐体は互いに同一方向に沿うスライドが可能に係合し、各筐体の表面には、それぞれ情報の入力部及び／又は出力部が設けられている。そして、該スライド式小型電子機器は、前記３つの筐体を、第１筐体と第２筐体とが互いに最大の重なり面積で重なりあった閉じ状態で両筐体どうしを係止する第１係止状態と、第２筐体と第３筐体とが互いに最大の重なり面積で重なり合った閉じ状態で両筐体どうしを係止する第２係止状態の２つの係止状態に選択的に設定することが可能な係止機構と、該係止機構を動作させて前記３つの筐体の係止状態を切り替えるための操作部とを具えている。
【００１０】
上記スライド式小型電子機器においては、操作部を操作して３つの筐体を第１係止状態に設定することにより、第１筐体と第２筐体とが係止される一方、第２筐体の表面に沿って第３筐体をスライドさせることが可能となる。そこで、第１筐体を保持して第３筐体を一方向に押圧することにより、第３筐体(３)のみがスライドすることになる。このとき、第２筐体を第１筐体と共に保持しなくても第２筐体はスライドすることがない。従って、第２筐体の表面に設けられている入力部及び／又は出力部のみを露出させたい場合に、第２筐体を第１筐体と共に保持する必要がなく、従来の様な煩わしさがない。
【００１１】
又、上記スライド式小型電子機器においては、操作部を操作して３つの筐体を第２係止状態に設定することにより、第２筐体と第３筐体とが係止される一方、第１筐体の表面に沿って第２筐体をスライドさせることが可能となる。そこで、第１筐体を保持して第２筐体を一方向に押圧することにより、第２筐体は第３筐体と一体となってスライドすることになる。このとき、第１筐体を保持するのとは別に第２筐体と第３筐体とを保持する必要がない。従って、第１筐体の表面に設けられている入力部及び／又は出力部のみを露出させたい場合に、第１筐体を保持するのとは別に第２筐体と第３筐体とを保持する必要がなく、従来の様な煩わしさがない。
【００１２】
上記スライド式小型電子機器の具体的構成において、前記係止機構は、第１の押し子と、該第１の押し子を上方に付勢する付勢手段と、アーム部と、支持部と、第１係合部と、第１係合受け部と、第２の押し子と、第２係合部と、第２係合受け部とを具えている。
ここで、第１の押し子は、第２筐体と第３筐体とが互いに最大の重なり面積で重なり合った閉じ状態で、第２筐体の表面壁及び第３筐体の裏面壁を貫通して上下方向に往復移動が可能である一方、第２筐体の表面側へ通過することが阻止されている。アーム部は、第２筐体に収容されて、前記第１の押し子に枢支された基端部を有している。支持部は、第２筐体の裏面壁の内面に突設されて、前記アーム部を、その基端部と先端部との間の位置にて揺動自在に支持する。第１係合部は、前記アーム部の先端部に設けられて、前記アーム部の揺動により、前記第２筐体の裏面壁に形成された第１貫通孔を通過して上下方向に往復移動する。第１係合受け部は、前記第１筐体の表面壁に凹設されて、第１筐体と第２筐体とが互いに最大の重なり面積で重なり合った閉じ状態で前記第１係合部が係脱可能である。第２の押し子は、第３筐体に収容されて、前記操作部の操作により下方に移動して前記第１の押し子を付勢手段の付勢力に抗して下方に移動させる。第２係合部は、前記第２の押し子に固定されて、該第２の押し子の往復移動により、前記第３筐体の裏面壁に形成された第２貫通孔を通過して上下方向に往復移動する。第２係合受け部は、前記第２筐体の表面壁に凹設されて、第２筐体と第３筐体とが互いに最大の重なり面積で重なり合った閉じ状態で前記第２係合部が係脱可能である。
【００１３】
上記具体的構成においては、３つの筐体が全て閉じた状態において、操作部の操作により第２の押し子を下方に移動させる操作力を取り除くことにより、第１の押し子が付勢手段の付勢力により上方に移動し、その結果、第１係合部が下方に移動して第１係合受け部に係合することになる。これにより、第１筐体と第２筐体とが互いに係止されることになる。一方、第１の押し子が上方に移動することにより第２の押し子は上方に移動し、その結果、第２係合部が上方に移動して第２係合受け部から離脱することになる。これにより、第２筐体と第３筐体との係止が解除されることになる。よって、第３筐体は、第２筐体の表面に沿ってスライドすることが可能になる。即ち、３つの筐体は第１係止状態に設定されることになる。
【００１４】
又、上記具体的構成においては、３つの筐体が全て閉じた状態において、操作部の操作により第２の押し子を下方に移動させることにより、第２係合部が下方に移動して第２係合受け部に係合することになる。これにより、第２筐体と第３筐体とが互いに係止されることになる。一方、第２の押し子が下方に移動することによって、第１の押し子は第２の押し子に押圧されて付勢手段の付勢力に抗して下方に移動し、その結果、第１係合部が上方に移動して第１係合受け部から離脱することになる。これにより、第１筐体と第２筐体との係止が解除されることになる。よって、第２筐体は、第１筐体の表面に沿ってスライドすることが可能になる。即ち、３つの筐体は第２係止状態に設定されることになる。
【００１５】
より具体的な構成において、前記第２の押し子は、第２の付勢手段よりに上方に付勢されている。
該具体的構成によれば、３つの筐体が全て閉じた状態において、第２の押し子を下方に移動させる操作力が取り除かれたときに、第２の押し子は確実に上方に移動することになる。
【００１６】
他の具体的な構成において、第３筐体の裏面壁には、第３筐体が第２筐体の表面に沿ってスライドする際に前記第１の押し子が通過する通路が形成されている。
該具体的構成によれば、第２筐体と第３筐体とが互いに最大の重なり面積で重なり合った閉じ状態から第３筐体がスライドする際に、第３筐体のスライドが、第１の押し子によって阻害されることがない。
【００１７】
更なる他の具体的な構成において、前記操作部は、前記第３筐体の表面に露出すると共に前記第２の押し子の上端面に沿ってスライドすることが可能なスイッチ部を有し、該スイッチ部と第２の押し子との対向面には、スイッチ部のスライドにより第２の押し子を上下方向に移動させるカム機構が形成されている。
該具体的構成によれば、操作部のスライド操作により、３つの筐体の係止状態を切り替えることが出来る。
【発明の効果】
【００１８】
本発明に係るスライド式小型電子機器は、第１筐体の表面に設けられている入力部及び／又は出力部と、第２筐体の表面に設けられている入力部及び／又は出力部とを、選択的に露出させる操作が容易である。
【図面の簡単な説明】
【００１９】
【図１】図１は、本発明の一実施形態に係るスライド式携帯電話機を示す斜視図である。図１では、該スライド式携帯電話機が具える３つ筐体が全て閉じた状態が示されている。
【図２】図２は、上記スライド式携帯電話機において上段の筐体のみがスライドした状態を示す斜視図である。
【図３】図３は、上記スライド式携帯電話機において上段の筐体と中段の筐体が一体となってスライドした状態を示す斜視図である。
【図４】図４は、上記スライド式携帯電話機において、図２に示す様に上段の筐体のみがスライド可能なときの操作部の状態を示す上面図である。
【図５】図５は、図４に示されるA1−A1線に沿う断面図である。
【図６】図６は、上記スライド式携帯電話機が具える係止機構を示す斜視図である。
【図７】図７は、図４に示されるA2−A2線に沿う断面図である。
【図８】図８は、図４に示されるA3−A3線に沿う断面図である。
【図９】図９は、図４に示されるA4−A4線に沿う断面図である。
【図１０】図１０は、上記スライド式携帯電話機において、図３に示す様に上段の筐体と中段の筐体が一体となってスライドすることが可能なときの操作部の状態を示す上面図である。
【図１１】図１１は、図１０に示されるB1−B1線に沿う断面図である。
【図１２】図１２は、図１０に示されるB2−B2線に沿う断面図である。
【図１３】図１３は、図１０に示されるB3−B3線に沿う断面図である。
【図１４】図１４は、図１０に示されるB4−B4線に沿う断面図である。
【発明を実施するための形態】
【００２０】
以下、本発明をスライド式携帯電話機に実施した形態につき、図面に沿って具体的に説明する。
図１に示す様に、本実施形態のスライド式携帯電話機は、３つの筐体(１)(２)(３)を具え、下段に第１筐体(１)、中段に第２筐体(２)、上段に第３筐体(３)が配備されると共に、これら３つの筐体(１)(２)(３)は互いに同一方向に沿うスライドが可能となる様に係合している。
【００２１】
図３に示す様に、第１筐体(１)の表面には、文字入力用の複数の操作キー(41)が設けられている。図２に示す様に、第２筐体(２)の表面には、数字入力用の複数の操作キー(42)が設けられている。図１に示す様に、第３筐体(３)の表面には、画像を出力するための平面型のディスプレイ(43)が設けられている。ディスプレイ(43)は、液晶ディスプレイ、有機ＥＬ（electroluminescence）ディスプレイ等により構成されている。
【００２２】
図５に示す様に、スライド式携帯電話機は係止機構(５)を具えている。該係止機構(５)は、スライド式携帯電話機の下方端部に配備されており、第１の押し子(50)と、板バネ(51)と、一対のアーム部(52)(52)と、一対の支持部(53)(53)と、一対の第１係合部(54)(54)と、一対の第１係合受け部(55)(55)と、第２の押し子(56)と、一対の第２の板バネ(57)(57)と、一対の第２係合部(58)(58)と、一対の第２係合受け部(59)(59)とを具えている。
【００２３】
図５及び図７に示す様に、第１の押し子(50)は、第２筐体(２)と第３筐体(３)とが互いに最大の重なり面積で重なり合った閉じ状態（図１参照）で、第２筐体(２)の表面壁及び第３筐体(３)の裏面壁を貫通しており、上下方向に往復移動することが可能である。
【００２４】
ここで、図２及び図７に示す様に、第３筐体(３)の裏面壁には、該第３筐体(３)が第２筐体(２)の表面に沿ってスライドした際に、第１の押し子(50)の内、第２筐体(２)の表面から突出している部分が通過する通路(30)が形成されている。従って、第２筐体(２)と第３筐体(３)とが互いに最大の重なり面積で重なり合った閉じ状態から第３筐体(３)がスライドする際に、該第３筐体(３)のスライドが、第１の押し子(50)によって阻害されることがない。
【００２５】
図５及び図６に示す様に、第１の押し子(50)の左右両側面には、第２筐体(２)の表面壁と重なるべき突起部(501)が１つずつ設けられている。従って、第１の押し子(50)が第２筐体(２)の裏面壁の内面から一定の高さ位置まで上昇すると、突起部(501)(501)が第２筐体(２)の表面壁の内面に当接し、これにより第１の押し子(50)は、第２筐体(２)の表面側へ通過することが阻止される。
【００２６】
板バネ(51)は、第２筐体(２)の裏面壁の内面の内、第１の押し子(50)と対向する領域に設置されており、該領域と第１の押し子(50)の下端面との間に、弾性圧縮された状態で介在している。従って、第１の押し子(50)は常時、板バネ(51)により上方にバネ付勢されている。
【００２７】
一対のアーム部(52)(52)は、第２筐体(２)に収容されて、それぞれ第１の押し子(50)から左右に延びている。図６に示す様に、各アーム部(52)は、第１の押し子(50)に枢支された基端部(521)を有している。具体的には、各アーム部(52)は断面Ｕ字状に形成されており、断面Ｕ字状を呈する基端部(521)の内側に第１の押し子(50)の一部分が嵌め込まれると共に、該一部分にアーム部(52)の基端部(521)が枢支されている。ここで、図５に示す様に、第１の押し子(50)の下端面には、Ｖ字状に拡がった傾斜面が形成されており、第１の押し子(50)の下端面と各アーム部(52)との接触を回避して各アーム部(52)の枢軸回りの回動を可能にしている。
【００２８】
一対の支持部(53)(53)は、第２筐体(２)の裏面壁の内面の内、第１の押し子(50)との対向領域の右側と左側に１つずつ突設されている。右側の支持部(53)は、第１の押し子(50)から右側に延びているアーム部(52)を、その基端部(521)と先端部(522)との間の位置にて揺動自在に支持している。左側の支持部(53)は、第１の押し子(50)から左側に延びているアーム部(52)を、その基端部(521)と先端部(522)との間の位置にて揺動自在に支持している。
【００２９】
従って、各アーム部(52)は、支持部(53)によって支持されている支点回りに揺動し、これにより、該アーム部(52)の基端部(521)と先端部(522)は、互いに反対向きに上下動することになる。よって、図５に示す様に、第１の押し子(50)が上方に移動することにより、各アーム部(52)の基端部(521)は上方に移動し、その結果、該アーム部(52)の先端部(522)は下方に移動することになる。一方、図１１に示す様に、第１の押し子(50)が下方に移動することにより、各アーム部(52)の基端部(521)は下方に移動し、その結果、該アーム部(52)の先端部(522)は上方に移動することになる。
【００３０】
一対の第１係合部(54)(54)はそれぞれ、一対のアーム部(52)(52)の先端部(522)(522)に設けられている。各第１係合部(54)は、アーム部(52)の揺動により、第２筐体(２)の裏面壁に形成されている第１貫通孔(21)を通過して上下方向に往復移動する。
【００３１】
従って、第１の押し子(50)が上下方向に往復移動することにより、各第１係合部(54)の先端部は、第１貫通孔(21)を通じて第２筐体(２)の裏面から出没することになる。即ち、第１の押し子(50)が上方に移動することにより、図５及び図９に示す様に各第１係合部(54)は下方に移動し、これによって該第１係合部(54)の先端部は、第１貫通孔(21)を通過して第２筐体(２)の裏面から突出することになる。一方、第１の押し子(50)が下方に移動することにより、図１１及び図１４に示す様に各第１係合部(54)は上方に移動し、これによって該第１係合部(54)の先端部は、第２筐体(２)内に収容されることになる。
【００３２】
図３に示す様に、一対の第１係合受け部(55)(55)は、第１筐体(１)の表面壁の内、下方端部の左右の隅部に１つずつ凹設されている。具体的には図５及び図９に示す様に、各第１係合受け部(55)は、第１筐体(１)の表面の内、第１筐体(１)と第２筐体(２)とが互いに最大の重なり面積で重なり合った閉じ状態で第１貫通孔(21)と対向する領域に設けられている。
【００３３】
従って、第１筐体(１)と第２筐体(２)とが互いに最大の重なり面積で重なり合った閉じ状態で、第１の押し子(50)が上下方向に往復移動することにより、各第１係合受け部(55)には、第１係合部(54)の先端部が係脱することになる。即ち、第１の押し子(50)が上方に移動することにより、図５及び図９に示す様に各第１係合部(54)の先端部が第２筐体(２)の裏面から突出し、これによって該第１係合部(54)の先端部は第１係合受け部(55)に係合することになる。一方、第１の押し子(50)が下方に移動することにより、図１１及び図１４に示す様に各第１係合部(54)の先端部が第２筐体(２)内に収容され、これによって該第１係合部(54)の先端部は第１係合受け部(55)から離脱することになる。
【００３４】
図５に示す様に、第２の押し子(56)は、第３筐体(３)に収容されており、上下方向に往復移動することが可能である。ここで、第２の押し子(56)は、第１の押し子(50)の上方位置に配置され、第２の押し子(56)の下端面が第１の押し子(50)の上端面に接触している。
【００３５】
従って、第２の押し子(56)が下方に移動することにより、第１の押し子(50)は、第２の押し子(56)に押圧されて、板バネ(51)の付勢力に抗して下方に移動することになる。一方、第２の押し子(56)が上方に移動することにより、第１の押し子(50)は、第２の押し子(56)による押圧から解放されて、板バネ(51)の付勢力によって上方に移動することにある。その結果、第１の押し子(50)の突起部(501)(501)が、第２筐体(２)の表面壁の内面に当接することになる。
【００３６】
第２の押し子(56)には、該第２の押し子(56)の側面から左右に延びる一対のアーム部(561)(561)が一体に形成されている。従って、該一対のアーム部(561)(561)は、第２の押し子(56)が上下方向に移動することにより、第２の押し子(56)の移動方向と同じ方向に移動することになる。
【００３７】
一対の第２の板バネ(57)(57)は、第３筐体(３)の裏面壁の内面の内、第２の押し子(56)の一対のアーム部(561)(561)と対向する２つの領域に１つずつ設置されている。各第２の板バネ(57)は、その設置領域とアーム部(561)の下端面との間に、弾性圧縮された状態で介在している。従って、一対のアーム部(561)(561)は常時、一対の第２の板バネ(57)(57)により上方にバネ付勢され、その結果、第２の押し子(56)は、一対のアーム部(561)(561)を介して一対の第２の板バネ(57)(57)により上方にバネ付勢されることになる。
【００３８】
一対の第２係合部(58)(58)はそれぞれ、第２の押し子(56)の一対のアーム部(561)(561)の先端部に設けられている。各第２係合部(58)は、第２の押し子(56)のアーム部(561)の上下動により、第３筐体(３)の裏面壁に形成されている第２貫通孔(31)を通過して上下方向に往復移動する。
【００３９】
従って、第２の押し子(56)が上下方向に往復移動することにより、各第２係合部(58)の先端部は、第２貫通孔(31)を通じて第３筐体(３)の裏面から出没することになる。即ち、第２の押し子(56)が上方に移動することにより、図５及び図８に示す様に各第２係合部(58)は上方に移動し、これによって該第２係合部(58)の先端部は、第２貫通孔(31)内に収容されることになる。一方、第２の押し子(56)が下方に移動することにより、図１１及び図１３に示す様に各第２係合部(58)は下方に移動し、これによって該第２係合部(58)の先端部は、第２貫通孔(21)を通過して第３筐体(３)の裏面から突出することになる。
【００４０】
図２に示す様に、一対の第２係合受け部(59)(59)は、第２筐体(２)の表面壁の内、下方端部の左右の隅部に１つずつ凹設されている。具体的には図５及び図８に示す様に、各第２係合受け部(59)は、第２筐体(２)の表面の内、第２筐体(２)と第３筐体(３)とが互いに最大の重なり面積で重なり合った閉じ状態で第２貫通孔(31)と対向する領域に設けられている。
【００４１】
従って、第２筐体(２)と第３筐体(３)とが互いに最大の重なり面積で重なり合った閉じ状態で、第２の押し子(56)が上下方向に往復移動することにより、各第２係合受け部(59)には、第２係合部(58)の先端部が係脱することになる。即ち、第２の押し子(56)が上方に移動することにより、図５及び図８に示す様に各第２係合部(58)の先端部が第２貫通孔(31)内に収容され、これによって該第２係合部(58)の先端部は第２係合受け部(59)から離脱することになる。一方、第２の押し子(56)が下方に移動することにより、図１１及び図１３に示す様に各第２係合部(58)の先端部が第３筐体(３)の裏面から突出し、これによって該第２係合部(58)の先端部は第２係合受け部(59)に係合することになる。
【００４２】
図５に示す様に、上記スライド式携帯電話機は、係止機構(５)を動作させるための操作部(６)を更に具えている。該操作部(６)は、第３筐体(３)の表面に露出したスイッチ部(60)を有し、該スイッチ部(60)は、第２の押し子(56)の上端面に沿って左右にスライドすることが可能である。具体的には、スイッチ部(60)は、図４に示す様に該スイッチ部(60)が右側にスライドして停止した第１設定状態と、図１０に示す様に該スイッチ部(60)が左側にスライドして停止した第２設定状態の２つの設定状態の間で往復移動が可能である。
【００４３】
スイッチ部(60)と第２の押し子(56)との対向面には、スイッチ部(60)のスライドにより第２の押し子(56)を上下方向に移動させるカム機構が形成されている。具体的には、図１１に示す様に、スイッチ部(60)側の対向面には、傾斜面から成るカム面(61)が形成される一方、第２の押し子(56)側の対向面には、スイッチ部(60)のスライドによりカム面(61)上を摺動する従動部(562)が形成されている。そして、カム面(61)と従動部(562)とによってカム機構が構成されている。
【００４４】
ここで、第２の押し子(56)には、一対の第２の板バネ(57)(57)の付勢力が加わっている。よって、従動部(562)は常時、上方に付勢されている。又、カム面(61)は、図５に示す様にスイッチ部(60)が第１設定状態に設定されているときに従動部(562)がカム面(61)の上端に到達し、図１１に示す様にスイッチ部(60)が第２設定状態に設定されているときに従動部(562)がカム面(61)の上端に到達する様に形成されている。
【００４５】
従って、スイッチ部(60)をスライドさせて第１設定状態から第２設定状態へ移行させることにより、従動部(562)は、カム面(61)を摺動して、バネの付勢力に抗して下方に移動することになる。その結果、第２の押し子(56)は、図１１及び図１２に示す様に下方に移動することになる。一方、スイッチ部(60)をスライドさせて第２設定状態から第１設定状態へ移行させることにより、従動部(562)は、バネの付勢力によって、カム面(61)を摺動しながら上方に移動することになる。その結果、第２の押し子(56)は、図５及び図７に示す様に上方に移動することになる。この様に、上記スライド式携帯電話機においては、操作部(６)のスライド操作により、第２の押し子(56)を上下方向に移動させることが可能である。
【００４６】
次に、上記スライド式携帯電話機について、３つの筐体(１)(２)(３)が全て閉じた状態（図１）からの操作について説明する。
図２に示す様に数字入力用の複数の操作キー(42)のみを露出させたい場合、先ず、３つの筐体(１)(２)(３)が全て閉じた状態において、図５に示す様に操作部(６)を操作してスライド部(60)を第１設定状態に設定する。これにより、第２の押し子(56)が上方に移動して第１の押し子(50)が上方に移動し、その結果、各第１係合部(54)が下方に移動して第１係合受け部(55)に係合することになる。これにより、第１筐体(１)と第２筐体(２)とが互いに係止されることになる。
【００４７】
一方、第２の押し子(56)が上方に移動することにより、各第２係合部(58)が上方に移動して第２係合受け部(59)から離脱する。これにより、第２筐体(２)と第３筐体(３)との係止が解除されることになる。よって、第３筐体(３)は、第２筐体(２)の表面に沿ってスライドすることが可能になる。
【００４８】
斯くして、３つの筐体(１)(２)(３)は、第１筐体(１)と第２筐体(２)とが互いに最大の重なり面積で重なりあった閉じ状態で両筐体(１)(２)どうしを係止する第１係止状態に設定されることになる。
【００４９】
そこで次に、第１筐体(１)を保持して第３筐体(３)を一方向に押圧する。第１筐体(１)と第２筐体(２)とは係止されているので、第２筐体(２)を第１筐体(１)と共に保持しなくても第２筐体(２)はスライドすることがなく、従って、第３筐体(３)のみがスライドすることになる。これにより、数字入力用の複数の操作キー(42)のみが露出することになる。
【００５０】
よって、上記スライド式携帯電話機によれば、第２筐体(２)の表面に設けられている操作キー(42)のみを露出させたい場合に、第２筐体(２)を第１筐体(１)と共に保持する必要がなく、従来の様な煩わしさがない。
【００５１】
又、図３に示す様に文字入力用の複数の操作キー(41)のみを露出させたい場合、先ず、３つの筐体(１)(２)(３)が全て閉じた状態において、図１１に示す様に操作部(６)を操作してスライド部(60)を第２設定状態に設定する。これにより、第２の押し子(56)が下方に移動し、その結果、各第２係合部(58)が下方に移動して第２係合受け部(59)に係合することになる。これにより、第２筐体(２)と第３筐体(３)とが互いに係止されることになる。
【００５２】
一方、第２の押し子(56)が下方に移動することにより、第１の押し子(50)が第２の押し子(56)に押圧されて板バネ(51)の付勢力に抗して下方に移動し、その結果、各第１係合部(54)が上方に移動して第１係合受け部(55)から離脱することになる。これにより、第１筐体(１)と第２筐体(２)との係止が解除されることになる。よって、第２筐体(２)は、第１筐体(１)の表面に沿ってスライドすることが可能になる。
【００５３】
斯くして、３つの筐体(１)(２)(３)は、第２筐体(２)と第３筐体(３)とが互いに最大の重なり面積で重なり合った閉じ状態で両筐体(２)(３)どうしを係止する第２係止状態に設定されることになる。
【００５４】
そこで次に、第１筐体(１)を保持して第２筐体(２)を一方向に押圧する。第２筐体(２)と第３筐体(３)とは係止されているので、第１筐体(１)を保持するのとは別に第２筐体(２)と第３筐体(３)とを保持しなくても第３筐体(３)は第２筐体(２)に対してスライドすることがなく、従って、第２筐体(２)は第３筐体（３）と一体となってスライドすることになる。これにより、文字入力用の複数の操作キー(41)のみが露出することになる。
【００５５】
よって、上記スライド式携帯電話機によれば、第１筐体(１)の表面に設けられている操作キー(41)のみを露出させたい場合に、第１筐体(１)を保持するのとは別に第２筐体(２)と第３筐体(３)とを保持する必要がなく、従来の様な煩わしさがない。
【００５６】
この様に上記スライド式携帯電話機においては、係止機構(５)により、３つの筐体(１)(２)(３)を第１係止状態と第２係止状態の２つの係止状態に選択的に設定することが可能であり、操作部(６)を操作することにより、係止機構(５)を動作させて３つの筐体(１)(２)(３)の係止状態を切り替えることが出来る。従って、上記スライド式携帯電話機は、第１筐体(１)の表面に設けられている文字入力用の操作キー(41)と、第２筐体(２)の表面に設けられている数字入力用の操作キー(42)とを、選択的に露出させる操作が容易である。
【００５７】
尚、本発明の各部構成は上記実施の形態に限らず、特許請求の範囲に記載の技術的範囲内で種々の変形が可能である。例えば、本発明は、上記スライド式携帯電話機において、第１係合部(54)及び第２係合部(58)が第１の押し子(50)及び第２の押し子(51)の片側に１つずつ設けられた構成を含んでいる。この構成においても、上記スライド式携帯電話機と同様の操作が可能である。
【００５８】
又、本発明は、上記スライド式携帯電話機において一対の第２の板バネ(57)(57)が設けられていない構成を含んでいる。この場合、第２の押し子(56)は、第１の押し子(50)の上端面に接触すると共に第１の押し子(50)を介して板バネ(51)の付勢力を常時受ける様に構成されることになる。これにより、上記スライド式携帯電話機と同様の操作が可能となる。
【００５９】
上記スライド式携帯電話機において、操作部(６)の操作よって第２の押し子(56)を下方に移動させる機構には、カム機構に替えて種々の機構を採用することが可能である。
【００６０】
上記スライド式携帯電話機において、各第１係合受け部(55)は第１筐体(１)の表面壁を貫通していてもよい。又、各第２係合受け部(59)は、第２筐体(２)の表面壁を貫通していてもよい。
【００６１】
上記スライド式携帯電話機において、第３筐体(３)の表面には、ディスプレイ(43)に限らず、タッチパネルを設けてもよい。これにより、文字入力用の複数の操作キー(41)や数字入力用の複数の操作キー(42)を露出させずに、文字や数字の入力が可能となる。又、第３筐体(３)の側面等、常に露出している領域に操作キーを設けることにより、スライド式携帯電話機の操作が可能となる。
更に、第１筐体(１)の表面には、文字入力用の複数の操作キー(41)に限らず、他の操作キー、ディスプレイ、タッチパネル等を設けてもよい。同様に、第２筐体(２)の表面には、数字入力用の複数の操作キー(42)に限らず、他の操作キー、ディスプレイ、タッチパネル等を設けてもよい。
【００６２】
上記スライド式携帯電話機に採用した各種構成は、携帯電話機に限らず、様々なスライド式小型電子機器に適用することが出来る。
【符号の説明】
【００６３】
(１)  第１筐体
(２)  第２筐体
(３)  第３筐体
(30)  通路
(41)  文字入力用の操作キー（入力部）
(42)  数字入力用の操作キー（入力部）
(43)  ディスプレイ（出力部）
(５)  係止機構
(50)  第１の押し子
(51)  板バネ（付勢手段）
(52)  アーム部
(53)  支持部
(54)  第１係合部
(55)  第１係合受け部
(56)  第２の押し子
(562) 従動部
(57)  第２の板バネ（第２の付勢手段）
(58)  第２係合部
(59)  第２係合受け部
(６)  操作部
(60)  スライド部
(61)  カム面
【図１】
2011071866.tif 000003
【図２】
2011071866.tif 000004
【図３】
2011071866.tif 000005
【図４】
2011071866.tif 000006
【図５】
2011071866.tif 000007
【図６】
2011071866.tif 000008
【図７】
2011071866.tif 000009
【図８】
2011071866.tif 000010
【図９】
2011071866.tif 000011
【図１０】
2011071866.tif 000012
【図１１】
2011071866.tif 000013
【図１２】
2011071866.tif 000014
【図１３】
2011071866.tif 000015
【図１４】
2011071866.tif 000016